(57)【特許請求の範囲】
【請求項１】
浴室を形成している外壁を貫通する換気穴に対応するように外壁の壁面に取り付けられる換気アダプタと、前記換気アダプタにビス止めされる換気ファンと、前記換気ファンを覆うように、前記換気アダプタにビス止めされるファンカバーとを備えた浴室暖房機用の換気ファンユニットにおいて、
前記換気アダプタは、前記貫通穴に対応する開口部と、その開口部を取り囲むように外方に突出した前記換気ファンの取付部とを有し、
前記取付部には、温水チューブ及び電線類を引き出すための切欠部が形成されており、
前記切欠部には、柔軟性及び弾性を有するシール材が予め装着されていることを特徴とする浴室暖房機用の換気ファンユニット。
【請求項２】
前記切欠部は、前記換気アダプタを外壁の壁面に取り付けた状態で、前記取付部の左右両側及び下側にそれぞれ形成されている請求項１に記載の浴室暖房機用の換気ファンユニット。
【請求項３】
前記ファンカバーには、前記温水チューブ及び電線類の引出口を形成するための切除可能部が形成されており、
前記切除可能部の周囲には、外方に張り出すリブが形成されている請求項１または２に記載の浴室暖房機用の換気ファンユニット。
【発明の詳細な説明】
【０００１】
【発明の属する技術分野】
この発明は、屋外に設置される浴室暖房機用の換気ファンユニット、特に、浴室内に設置される浴室暖房機に接続された温水チューブや電線類の引出作業を効率よく行うことのできる換気ファンユニットに関する。
【０００２】
【従来の技術】
温水暖房熱源機から供給される温水の熱を利用して浴室内に温風を吹き出すことによって浴室内の暖房を行う浴室暖房乾燥機は、通常、浴室を形成している外壁の浴室側の壁面に取り付けた状態で、その取付領域内に形成された換気穴を通して浴室内の湿度の高い空気が屋外に排気されるようになっており、浴室内に設置される浴室暖房乾燥機に換気ファンを搭載するタイプと、換気ファンユニットを屋外に別途設置するタイプとがある。
【０００３】
ところで、こういった浴室暖房乾燥機では、浴室内に設置される浴室暖房乾燥機内に搭載された熱交換器と、屋外に設置される温水暖房熱源機に接続された屋外温水配管とを温水チューブを介して接続しなければならないので、通常、浴室暖房乾燥機に接続された温水チューブを、外壁を貫通している換気穴を通して屋外に引き出すようになっているが、換気ファンユニットを屋外に別途設置するタイプの浴室暖房乾燥機では、通常、外壁における換気穴に対応する位置に換気ファンユニットを取り付けることになるので、換気穴を通して外部に引き出される温水チューブや電線類を、一旦換気ファンユニット内に導入した後、換気ファンユニットから外部に引き出すようになっている。
【０００４】
こういった換気ファンユニットは、図８に示すように、浴室を形成している外壁を貫通する換気穴の形成位置に対応するように、外壁の壁面に取り付けられるプレート状の換気アダプタ５１と、この換気アダプタ５１にビス止めされる換気ファン５２と、この換気ファン５２を覆うように、換気アダプタ５１にビス止めされるファンカバー５４とから構成されており、換気アダプタ５１には、換気穴を開放する開口部５１ａが形成されている。
【０００５】
前記換気ファン５２は、図９に示すように、換気アダプタ５１にビス止めした状態で、換気アダプタ５１に形成された開口部５１ａの周囲を取り囲む吸込口部５２ａを備えており、この吸込口部５２ａには、その左右両側に２本の温水チューブと電線類を通すためのチューブ取出口５３ａ及び電線取出口５３ｂをそれぞれ形成することができるようになったゴムブッシュ５３が装着されていると共に、ファンカバー５４には、図８に示すように、換気ファン５２の吸込口部５２ａに装着された左右のゴムブッシュ５３に対応する位置に、温水チューブ及び電線類の引出口を形成するための切除可能部５４ａが形成されている。
【０００６】
以上のように構成された換気ファンユニット５０を設置するには、まず、外壁を貫通している換気穴に開口部５１ａが対応するように、換気アダプタ５１を外壁の壁面にビス止めする。続いて、換気ファン５２の吸込口部５２ａの左右両側にそれぞれ装着されたいずれか一方のゴムブッシュ５３に、温水チューブ及び電線類を引き出すためのチューブ取出口５３ａ及び電線取出口５３ｂをそれぞれ形成した後、換気穴を通して屋外に引き出された２本の温水チューブ及び電線類を、換気ファン５２の吸込口部５２ａの内側から、ゴムブッシュ５３に形成されたチューブ取出口５３ａ及び電線取出口５３ｂを通して引き出した状態で、図１０に示すように、換気ファン５２を換気アダプタ５１の所定位置にビス止めする。
【０００７】
そして、温水チューブＨＣ及び電線類ＥＷを引き出したゴムブッシュ５３に対応する切除可能部５４ａを切除することによって引出口を形成したファンカバー５４を、換気ファン５２を覆うように、換気アダプタ５１の所定位置にビス止めすると、温水チューブＨＣ及び電線類ＥＷがファンカバー５４から引き出された状態で、換気ファンユニット５０が外壁面に設置される。
【０００８】
【発明が解決しようとする課題】
しかしながら、上述したように、換気ファン５２の吸込口部５２ａに装着されたゴムブッシュ５３にチューブ取出口５３ａ及び電線取出口５３ｂを形成した後、そのチューブ取出口５３ａ及び電線取出口５３ｂを通して温水チューブＨＣ及び電線類ＥＷを引き出すようにした換気ファンユニット５０では、チューブ取出口５３ａ及び電線取出口５３ｂに温水チューブＨＣ及び電線類ＥＷを通す作業を換気ファンユニット５０を持った状態で行わなければならず、しかも、電線類ＥＷと共にある程度の剛性を有する温水チューブＨＣを引き出した状態で、換気ファン５２を換気アダプタ５１にビス止めしなければならないので、換気ファンユニット５０の設置作業を円滑に行うことができないという問題がある。
【０００９】
また、一旦、換気ファン５２の左右いずれか一方側から温水チューブＨＣ及び電線類ＥＷを引き出した後、何らかの理由でその引出方向を変更しなければならないような場合には、ゴムブッシュ５３から温水チューブＨＣ及び電線類ＥＷを引き抜いた後、反対側のゴムブッシュ５３にチューブ取出口５３ａ及び電線取出口５３ｂを形成すると共に、使用しないほうのゴムブッシュ５３に形成されたチューブ取出口５３ａ及び電線取出口５３ｂをパテ等によって閉塞するといった手間のかかる作業を行わなければならず、温水チューブＨＣ及び電線類ＥＷの引出方向を簡単に変更することができないといった問題がある。
【００１０】
そこで、この発明の課題は、浴室内に設置される浴室暖房機に接続された温水チューブや電線類の引出作業及び引出方向の変更を簡単に効率よく行うことのできる換気ファンユニットを提供することにある。
【００１１】
【課題を解決するための手段及びその効果】
上記の課題を解決するため、請求項１にかかる発明は、浴室を形成している外壁を貫通する換気穴に対応するように外壁の壁面に取り付けられる換気アダプタと、前記換気アダプタにビス止めされる換気ファンと、前記換気ファンを覆うように、前記換気アダプタにビス止めされるファンカバーとを備えた換気ファンユニットにおいて、前記換気アダプタは、前記貫通穴に対応する開口部と、その開口部を取り囲むように外方に突出した前記換気ファンの取付部とを有し、前記取付部には、温水チューブ及び電線類を引き出すための切欠部が形成されており、前記切欠部には、柔軟性及び弾性を有するシール材が予め装着されていることを特徴とする浴室暖房機用の換気ファンユニットを提供するものである。
【００１２】
以上のように、この換気ファンユニットは、開口部を取り囲むように外方に突出した換気ファンの取付部を換気アダプタに形成すると共に、この取付部に形成された切欠部に柔軟性及び弾性を有するシール材を予め装着する構成を採用したので、外壁に形成された換気穴と開口部とを対応させるように、換気アダプタを外壁に取り付けた後、貫通穴及び開口部から引き出された温水チューブ及び電線類を、シール材に押し付けるようにして、換気ファンの取付部の外側に引き出すと、柔軟性及び弾性を有するシール材における温水チューブ及び電線類部分が凹んで温水チューブ及び電線類が取付部の切欠部内に収容される。この状態で、換気ファンを取付部にビス止めすると、シール材を装着した切欠部が換気ファンによって完全に閉塞され、温水チューブ及び電線類の周囲がシール材によってシールされた状態で、温水チューブ及び電線類が取付部から引き出される。
【００１３】
従って、従来の換気ファンユニットのように、換気ファンの吸込口部に装着されたゴムブッシュに温水チューブ及び電線類を引き出すためのチューブ取出口及び電線取出口を形成する作業が不要になると共に、ある程度の剛性を有する温水チューブを電線類と共に吸込口部から引き出した状態で、換気ファンを換気アダプタにビス止めしなければならない従来の換気ファンユニットとは異なり、換気ファンと温水チューブとを独立した状態で取り扱うことができるので、換気ファンの換気アダプタへの取付作業を円滑に行うことができる。
【００１４】
また、請求項２にかかる発明の換気ファンユニットのように、前記換気アダプタを外壁の壁面に取り付けた状態で、前記切欠部が前記取付部の左右両側及び下側にそれぞれ形成されているものにあっては、換気ファンユニットの左右両側及び下側の任意の３方向に温水チューブを引き出すことができるので、現場の状況により適した施工を行うことが可能となる。特に、温水チューブを換気ファンユニットの左右両側だけでなく、下側にも引き出すことができるようにしたことで、現場における施工の容易化及び簡略化を図ることが可能となる。
【００１５】
また、請求項３にかかる発明の換気ファンユニットのように、前記ファンカバーには、前記温水チューブ及び電線類の引出口を形成するための切除可能部が形成されており、前記切除可能部の周囲には、外方に張り出すリブが形成されているものにあっては、切除可能部を切除したときに発生するバリやカット面がリブによって隠蔽されるので、換気ファンユニットの外観が損なわれることがなく、また、リブの存在によって雨水等が温水チューブ及び電線類の引出口からファンカバーの内部に侵入しにくくなるという効果も得られる。
【００１６】
【発明の実施の形態】
以下、実施の形態について図面を参照して説明する。図１は、浴室内の湿度の高い空気を屋外に排気するための換気ファンユニット１が屋外に設置されるタイプの浴室暖房乾燥機２を、浴室を形成している外壁Ｗの壁面に設置した状態を示している。
【００１７】
前記浴室暖房乾燥機２は、同図に示すように、その背面と外壁Ｗの壁面との間に数ｍｍ程度の隙間が形成されるように、外壁Ｗにおける浴室側の壁面に固定された取付板３を介して浴室内に据付固定されており、外壁Ｗには、浴室暖房乾燥機２の背面と外壁Ｗの壁面との間に形成された隙間から吸い込まれる浴室内の空気を屋外に排気するための換気穴ＥＨが、浴室暖房乾燥機２の設置領域内を貫通するように形成されている。
【００１８】
換気穴ＥＨには、浴室内の空気を屋外に排気する際、換気穴ＥＨから外壁Ｗ内に湿度の高い浴室内の空気が進入しないように、換気パイプＥＰが挿通されており、この換気パイプＥＰは、浴室側の端部がゴムブッシュ４によって、屋外側の端部が換気ファンユニット１の構成要素である換気アダプタ１０によって、それぞれ固定されている。
【００１９】
前記換気ファンユニット１は、図１及び図２（ａ）〜（ｄ）に示すように、浴室を形成している外壁を貫通する換気穴ＥＨの形成位置に対応するように、外壁の壁面に取り付けられるプレート状の換気アダプタ１０と、この換気アダプタ１０にビス止めされる換気ファン２０と、この換気ファン２０を覆うように、換気アダプタ１０にビス止めされるファンカバー３０とから構成されている。
【００２０】
前記換気アダプタ１０は、図１及び図３（ａ）、（ｂ）に示すように、外壁Ｗを貫通している換気穴ＥＨを開放する開口部１２及び外壁Ｗの屋外側の壁面にビス止めするためのビス孔１３が形成された基板１１と、この基板１１における開口部１２の周縁から内面側に突出した、換気穴ＥＨに挿通固定される換気パイプＥＰの端部に挿入される筒状のパイプ接続部１４と、開口部１２を取り囲むように基板１１の外面側に突出した角筒状のファン取付部１５とを備えており、このファン取付部１５には、換気ファン２０の吸込口部が接続されるようになっている。
【００２１】
前記ファン取付部１５には、図３（ａ）、（ｂ）に示すように、換気アダプタ１０を外壁Ｗの壁面に取り付けた状態で、その左右両側及び下側に、浴室暖房乾燥機２から換気パイプＥＰを通して導かれる温水循環用の温水チューブＨＣ（図１参照）及び電線類を引き出すための切欠部１６がそれぞれ形成されており、各切欠部１６には、エチレンプロピレンジエン共重合体（ＥＰＤＭ）によって形成された柔軟性及び弾性を有するシール材１７が予め装着されている。
【００２２】
前記ファンカバー３０には、図２（ａ）〜（ｄ）に示すように、換気ファン２０の吐出口２１に対応する位置に、メッシュによって覆われた排気口３１が形成されていると共に、切欠部１６を通して換気アダプタ１０のファン取付部１５の外側に引き出された温水循環用の温水チューブＨＣ及び電線類を屋外に引き出すために、その両側面及び底面に、周囲が部分的に接続された切除可能なノックアウト部３２が設けられており、各ノックアウト部３２の外側には、各ノックアウト部３２を取り囲むように外方に突出するリブ３３がそれぞれ形成されている。
【００２３】
以上のように構成された換気ファンユニット１を設置するには、まず、浴室側がゴムブッシュ４によって換気穴ＥＨに固定された換気パイプＥＰの屋外側の端部にパイプ接続口１４を差し込んだ状態で、換気アダプタ１０を外壁Ｗの壁面にビス止めする。
【００２４】
次に、図４に示すように、換気パイプＥＰを通して引き出された２本の温水チューブＨＣ及び電線類ＥＷを、いずれかの切欠部１６を通すようにしてその切欠部１６に装着されたシール材１７に重ね合わせ、図５に示すように、ファン取付部１５に換気ファン２０をビス止めすると、図６に示すように、温水チューブＨＣ及び電線類ＥＷがシール材１７に埋没した状態で、ファン取付部１５の外側に引き出される。
【００２５】
そして、図７に示すように、ファン取付部１５の外側に引き出された温水チューブＨＣ及び電線類ＥＷに配管カバーＰＣを被せて外壁Ｗの壁面に固定した後、温水チューブＨＣ及び電線類ＥＷが引き出された切欠部１６に対応するノックアウト部３２を切除したファンカバー３０を換気アダプタ１０にビス止めすると、配管カバーＰＣの端部がファンカバー３０の内側に入り込んだ状態で換気ファンユニット１の設置が完了する。
【００２６】
以上のように、この換気ファンユニット１は、換気アダプタ１０のファン取付部１５に切欠部１６を形成し、この切欠部１６に柔軟性及び弾性を有するシール材１７を予め装着する構成を採用したので、換気パイプＥＰから引き出された温水チューブＨＣ及び電線類ＥＷをシール材１７に重ね合わせた状態で、換気ファン２０をファン取付部１５にビス止めするだけで、温水チューブＨＣ及び電線類ＥＷの周囲がシール材１７によってシールされた状態で（図６参照）、ファン取付部１５から簡単に引き出すことができる。
【００２７】
従って、従来の換気ファンユニットのように、換気ファンの吸込口部に装着されたゴムブッシュに温水チューブ及び電線類を引き出すためのチューブ取出口及び電線取出口を形成する作業が不要になると共に、ある程度の剛性を有する温水チューブを電線類と共に吸込口部から引き出した状態で、換気ファンを換気アダプタにビス止めしなければならない従来の換気ファンユニットとは異なり、換気ファン２０と温水チューブＨＣとを独立した状態で取り扱うことができるので、換気ファン２０の換気アダプタ１０への取付作業を円滑に行うことができる。
【００２８】
また、温水チューブ及び電線類の引出方向を変更する場合は、ゴムブッシュから温水チューブ及び電線類を引き抜いた後、反対側のゴムブッシュにチューブ取出口及び電線取出口を形成すると共に、使用しないほうのゴムブッシュに形成されたチューブ取出口及び電線取出口をパテ等によって閉塞するといった手間のかかる作業を行わなければならない従来の換気ファンユニットとは異なり、この換気ファンユニット１では、換気ファン２０を取り外して、温水チューブＨＣ及び電線類ＥＷの引出方向を変更した後、換気ファン２０を再度ビス止めするだけでよいので、温水チューブＨＣや電線類ＥＷの引出方向を簡単に変更することができる。
【００２９】
また、換気アダプタ１０のファン取付部１５には、換気アダプタ１０を外壁Ｗの壁面に取り付けた状態で、その左右両側及び下側にそれぞれ切欠部１６が形成されているので、換気ファンユニット１の左右両側及び下側の任意の３方向に温水チューブＨＣ及び電線類ＥＷを引き出すことができ、現場の状況により適した施工を行うことが可能となる。特に、従来の換気ファンユニットとは異なり、温水チューブＨＣを換気ファンユニット１の下側に引き出すことができるようになっているので、現場における施工の容易化及び簡略化を図ることが可能となる。
【００３０】
また、ファンカバー３０には、温水チューブＨＣ及び電線類ＥＷの引出口を形成するためのノックアウト部３２の周囲に、外方に張り出すリブ３３が形成されているので、ノックアウト部３２を切除したときに発生するバリやカット面がリブ３３によって隠蔽され、換気ファンユニット１の外観が損なわれることがない。また、リブ３３の存在によって雨水等が温水チューブＨＣ及び電線類ＥＷの引出口からファンカバー３０の内部に侵入しにくくなるという効果も得られる。
【００３１】
なお、上述した実施形態では、ＥＰＤＭによって形成されたシール材を使用しているが、これに限定されるものではなく、適度な弾性及び柔軟性を備えた素材によって形成されたシール材を使用することができる。
【図面の簡単な説明】
【図１】この発明の一実施形態である換気ファンユニットを外壁の壁面に取り付けた状態を示す断面図である。
【図２】（ａ）は同上の換気ファンユニットを示す正面図、（ｂ）は同上の換気ファンユニットを示す右側面図、（ｃ）は同上の換気ファンユニットを示す左側面図、（ｄ）は同上の換気ファンユニットを示す底面図である。
【図３】（ａ）は同上の換気ファンユニットを構成している換気アダプタを示す平面図、（ｂ）は同上の換気アダプタを示す側面図である。
【図４】同上の換気ファンユニットの設置方法を示す工程図である。
【図５】同上の換気ファンユニットの設置方法を示す工程図である。
【図６】同上の換気ファンユニットの設置方法を示す工程図である。
【図７】同上の換気ファンユニットの設置方法を示す工程図である。
【図８】従来の換気ファンユニットを示す分解斜視図である。
【図９】同上の換気ファンユニットを外壁の壁面に取り付けた状態を示す側面図である。
【図１０】同上の換気ファンユニットを外壁の壁面に取り付けた状態を示す正面図である。
【符号の説明】
１  換気ファンユニット
２  浴室暖房乾燥機
１０  換気アダプタ
１１  基板
１２  開口部
１４  パイプ接続部
１５  ファン取付部
１６  切欠部
１７  シール材
２０  換気ファン
３０  ファンカバー
３１  排気口
３２  ノックアウト部（切除可能部）
３３  リブ
ＥＨ  換気穴
ＥＰ  換気パイプ
ＥＷ  電線類
ＨＣ  温水チューブ
ＰＣ  配管カバー
Ｗ  外壁
【図１】
0003627682.tif 000002
【図２】
0003627682.tif 000003
【図３】
0003627682.tif 000004
【図４】
0003627682.tif 000005
【図５】
0003627682.tif 000006
【図６】
0003627682.tif 000007
【図７】
0003627682.tif 000008
【図８】
0003627682.tif 000009
【図９】
0003627682.tif 000010
【図１０】
0003627682.tif 000011